(57)【要約】【課題】  スポットカラー調整についての発明であり、あるスポットカラーの新規メディアへ対応したデバイスカラー値を算出する。【解決手段】  あるスポットカラーについて、基準となるメディアでの再現色が得られるデバイスカラー値と、基準となるメディアの出力プロファイルと、新規メディアの出力プロファイルと、から新規メディアでの再現色が得られるデバイスカラー値を算出する。【選択図】  図１
2010011048.tif 000002
【特許請求の範囲】
【請求項１】
デバイス非依存色空間値で表される色を、プリンタのデバイスカラーで印刷再現することが可能な印刷システム。
【請求項２】
請求項１に記載の印刷システムにおいて、
デバイス非依存色空間値は、特定の名前付きカラー（ＮａｍｅｄＣｏｌｏｒ乃至スポットカラー乃至特色）で示されるカラー名前付け規則であることを特徴とする印刷システム。
【請求項３】
請求項２に記載の印刷システムにおいて、
名前付きカラーを、スポットカラー辞書を利用することにより、ＣＭＹＫで構成されるプリンタデバイスカラー値に変換してからプリンタから印刷を行うことを特徴とする印刷システム。
【請求項４】
前記スポットカラー辞書は、ＩＣＣプロファイルで定義される、ＮａｍｅｄＣｏｌｏｒプロファイルで定義されるスポットカラー辞書であって、
前記スポットカラー辞書は、単数または複数のスポットカラーから構成される辞書であり、
前記スポットカラーは、１つのカラーにつきスポットカラー名と、ＣＩＥＬａｂ（Ｌ＊ａ＊ｂ＊）色空間で定義されるデバイス非依存色空間で指定されるカラー値（目標値）の２つの属性から構成される構成方式を備えることを特徴とする印刷システム。
【請求項５】
特定の印刷媒体（メディア）をターゲットとした前記スポットカラー辞書は、スポットカラー夫々について請求項３に記載のスポットカラー構成方式に加え、特定のプリンタデバイスカラー値をさらに３つめの属性として持つ構成方式を備えることを特徴とする請求項３、又は請求項４に記載の印刷システム。
【請求項６】
前記スポットカラーの出力システムは、スポットカラーのデバイス非依存色空間で指定されるカラー値を、特定メディアの出力プロファイルでカラーマッチングをかけて、プリンタデバイスカラー値に変換してプリンタから印刷を行うことを特徴とする請求項３に記載の印刷システム。
【請求項７】
前記スポットカラー辞書は、メディア毎に作成されることを特徴とする請求項３に記載の印刷システム。
【請求項８】
前記出力プロファイルは、デバイス非依存色空間の値と、出力プリンタのデバイスカラー値を関連付けることを特徴とする請求項６に記載の印刷システム。
【請求項９】
前記スポットカラーの出力システムは、スポットカラーを特定のメディアで正確な再現色を得るため請求項３に示されるプリンタデバイスカラー値をさらに属性として持つ場合、格納されているプリンタデバイスカラー値で出力することを特徴とする請求項６に記載の印刷システム。
【請求項１０】
基準となるメディアに対して設定されている請求項３のスポットカラー辞書を、基準のスポットカラー辞書として構成することを特徴とする請求項３に記載の印刷システム。
【請求項１１】
新規のメディアが追加された場合、請求項１０の基準となるスポットカラー辞書を、新規メディアに関連付けて複製することを特徴とすることを特徴とする請求項１０に記載の印刷システム。
【請求項１２】
複製の際に請求項５のデバイスカラー値を複製しないことを特徴とする請求項１１に記載の印刷システム。
【請求項１３】
前記プリンタは、デバイスカラーがＲＧＢ値で記述および出力値指定されることを特徴とする印刷システム。
【請求項１４】
前記プリンタは、デバイスカラーがＣＭＹＫ値および他の特色によって、記述および出力値指定されることを特徴とする印刷システム。
【発明の詳細な説明】
【技術分野】
【０００１】
本発明は、印刷システムなどの出力デバイスでのカラーマッチングに用いられる出力プロファイルを調整する技術に関する。
【背景技術】
【０００２】
カラーの出力方法として、スポットカラーの目標Ｌａｂ値に対して、Ｌａｂ空間値とデバイスカラー値との関係を記述した出力プロファイルによってマッチングをかけて、デバイスカラー値を算出し、これを出力する技術が知られている。
【０００３】
特定の印刷媒体を対象としたスポットカラー辞書は、目標Ｌａｂ値だけでなく、より正確な再現色を得るために、目標Ｌａｂ値を色再現可能なデバイスカラー値を持ち、出力時にデバイスカラー値によって印刷を行う。
【０００４】
上記の例として、下記特許文献１をあげることが出来る。
【特許文献１】特開2003-271327号公報
【発明の開示】
【発明が解決しようとする課題】
【０００５】
わずかでも地色の異なる印刷媒体（メディア）に対して印刷を行う場合、Ｌａｂ空間値とデバイスカラー値との関係を記述した出力プロファイル作成を行い、スポットカラーの出力には、目標Ｌａｂ値に対して、作成された出力プロファイルによってマッチングをかけて、デバイスカラー値を算出しこれを出力する。
【０００６】
しかし出力プロファイルはプリンタ色域全体を対象としたものであり、特定の色について調整されておらず必ずしも正確な再現色を得られない。
【０００７】
新規メディアでスポットカラーの正確な再現色を常に得るには、新規メディアに対応するため専用ツール等を用いて都度スポットカラー調整を行う必要がある。それはスポットカラー辞書に登録されている全てのスポットカラーについて、おのおのデバイスカラー値を調整し設定する必要がある。
【課題を解決するための手段】
【０００８】
デバイス非依存色空間値で表される色を、プリンタのデバイスカラーで印刷再現することが可能な印刷システムであり、
デバイス非依存色空間値は、特定の名前付きカラー（ＮａｍｅｄＣｏｌｏｒ乃至スポットカラー乃至特色）で示されるカラー名前付け規則であり、
名前付きカラーを、スポットカラー辞書を利用することにより、プリンタデバイスカラー値に変換してプリンタから印刷を行うシステムと、
上記プリンタデバイスカラー値は、ＣＭＹＫで構成される印刷システムであり、
スポットカラー辞書は、例えばＩＣＣプロファイルで定義される、ＮａｍｅｄＣｏｌｏｒプロファイルで定義されるスポットカラー辞書であり、
スポットカラー辞書は、単数または複数のスポットカラーから構成される辞書であり、
スポットカラーは、１つのカラーにつきスポットカラー名と、デバイス非依存色空間で指定されるカラー値（目標値）の２つの属性から構成される構成方式と、
上記デバイス非依存色空間は、例えばＣＩＥＬａｂ（Ｌ＊ａ＊ｂ＊）色空間で定義される色空間であり、
特定の印刷媒体（メディア）をターゲットとしたスポットカラー辞書は、スポットカラー夫々について特定のプリンタデバイスカラー値をさらに３つめの属性として持つ構成方式と、
スポットカラーのデバイス非依存色空間で指定されるカラー値を、特定メディアの出力プロファイルでカラーマッチングをかけて、プリンタデバイスカラー値に変換してプリンタから印刷を行うシステムであり、
スポットカラー辞書は、メディア毎に作成されることを特徴とする構成方式と、
出力プロファイルは、デバイス非依存色空間の値と、出力プリンタのデバイスカラー値を関連付けることを特徴とする出力プロファイルであり、
スポットカラーの出力システムは、スポットカラーを特定のメディアで正確な再現色を得るためのプリンタデバイスカラー値をさらに属性として持つ場合、格納されているプリンタデバイスカラー値で出力する出力システムと、
基準となるメディアに対して設定されているスポットカラー辞書を、基準のスポットカラー辞書として構成する構成方式と、
新規のメディアが追加された場合、基準となるスポットカラー辞書を、新規メディアに関連付けて複製することを特徴とする構成方式と、
複製の際にデバイスカラー値を複製しないことを特徴とする構成方式であり、
新規メディアに関連付けられたスポットカラー辞書に含まれる全ての名前付きカラーについて、名前付きカラーに関連付けられるデバイスカラー値を、基準メディアのスポットカラー辞書に設定されている当該名前付きカラーの目標色デバイスカラーと、基準メディアの出力プロファイルと、新規メディアの出力プロファイルと、を用いてデバイスカラー値を算出する算出方法と、
算出方法は、名前付きカラーの目標色値について基準メディアの出力プロファイルでカラーマッチングをかけて、デバイスカラー値を得る算出方法であり、
算出方法は、名前付きカラーの目標色値について新規メディアの出力プロファイルでカラーマッチングをかけて、デバイスカラー値を得る算出方法であり、
算出方法は、基準メディアを対象としたデバイスカラー値と、新規メディアを対象としたデバイスカラー値との差分を算出し、基準メディアのスポットカラー辞書に設定されている当該名前付きカラーの目標色デバイスカラーに差分を合算することにより算出することを特徴とする算出方法と、
を有する。
【発明の効果】
【０００９】
スポットカラー調整について有効であり、あるスポットカラーの新規メディアへ対応したデバイスカラー値を算出することが出来る。
【発明を実施するための最良の形態】
【００１０】
次に、本発明の詳細を実施例の記述に従って説明する。
【００１１】
図１に示す本発明における実施形態は中央制御装置１１にユーザ・インタフェース（ＵＩ）１０、記憶装置１２、出力デバイスとしてのプリンタ１３、測色機１４が接続されている。ＵＩ１０はユーザに対して情報表示やデータ入力の受付をする。中央制御装置１１は記憶装置１２に記憶されたプログラムに従って命令を実行し、接続された各装置を制御する。
【００１２】
記憶装置１２はプログラムやデータを記憶するが、本実施形態ではとりわけ、１２０〜１２５で示されるデータを記憶する。
【００１３】
ここで、メディア１２０は出力デバイス１３が出力を行う紙やまたはそれに類する印刷媒体である。メディア毎に紙の白色度や表面光沢などの特性が異なるため、プリンタ色に関するの管理データはすべてメディア毎に管理される。
【００１４】
１２１はプリンタの出力プロファイルで、プロファイル作成ツールなどを用いて作成される。メディア１２０への印刷時における、デバイス非依存色空間とデバイスカラーとの関係付けを記述する。
【００１５】
カラー名１２３は、印刷システムが扱うスポットカラー色の名称である。本実施形態では説明を簡略化するために、印刷システムが扱うカラー名は、「カラー名1」123-1と、「カラー名２」123-2、の２つとして以下説明を行う。
【００１６】
目標色値１２４はカラー名１２３の色値であり、予めユーザの入力や測色機１４によって色標本を計測することにより設定・入力されるデバイス非依存色空間（例えばＬａｂ）の色値である。
【００１７】
目標色デバイスカラー１２５は、カラー名１２３を目標色値１２４で出力するプリンタ色空間のデバイスカラー値である。通常はスポットカラー調整ツールを用いて、例えば１３０のような調整用カラーチャートを出力し、測色機１４で測色を行った結果を用いて目標色１２４を再現するデバイスカラー値１２５を算出する。
【００１８】
１２３〜１２５はスポットカラー辞書１２２として格納される。
【００１９】
図２は本印刷システムが名前付きカラーを、デバイスカラー値での色出力で行うことを示すフローチャートである。
【００２０】
図２に示されるように、印刷システムに、名前付きカラーでの出力が指定される（ステップ２１）。出力対象はテキスト色、イメージのピクセル、グラフィック属性などあらゆる場合に共通である。
【００２１】
印刷システムでは、名前付カラーをデバイスカラー値への変換を行い（ステップ２２）、デバイスカラー値での色出力を行うことが可能である。
【００２２】
図３では、ステップ２２に述べた、名前付きカラーをデバイスカラー値への変換を行うフローについて説明する。まずステップ２２で名前付きカラーが指定された場合は、１２２スポットカラー辞書から、当該の名前付カラーを検索する（ステップ３１）。ステップ３２では、名前付きカラーに紐付けられた１２５目標色デバイスカラー格納領域を調べて、デバイスカラーが格納されているならば、ステップ３３で１２５の値をデバイスカラーとして返す。ステップ３２で格納されていない場合は、プリンタの１２１出力プロファイルを用いて１２４のデバイス非依存目標色値からカラーマッチングにより、デバイスカラー値を得て、これを出力する。本実施例では、基準となるメディア１２０におけるスポットカラー辞書１２２には、予め名前付きカラーに紐付けられた１２５目標色デバイスカラーは、専用のスポットカラー調整ツール等を用いて全て設定されているものとする。
【００２３】
図４は、図１の本印刷システムについて、プリンタ対応メディアとして新規メディア４０が追加された状態である。デバイス非依存色空間値で表される色を、プリンタのデバイスカラーで印刷メディア４０に出力するために、新規メディアを対象とした出力プロファイル４１は別途プロファイル作成ツールなどを用いて作成されている。新規メディア４０に対応したスポットカラー辞書は、メディア１２０を基準メディアとし、１２２スポットカラー辞書より同名称同値のまま、１２３カラー名、１２４目標色値が複製され、それぞれスポットカラー辞書４２、カラー名４３は新規メディア４０の属性として設定される。
【００２４】
メディア１２０を対象とした目標色値１２４の再現色が得られるデバイスカラー値１２５は、新規メディア４０では同じ再現色が得られる値ではないため、複製されていない。この場合図３のフローチャートステップ３４に示されたように、目標色値１２４に対し新規出力プロファイル４１でマッチングをかけてデバイスカラー値を得て出力される。
【００２５】
図５は、ステップ３４で使用されるカラーマッチングシステムの概略図である。カラーマッチングシステム５１は、プリンタシステムのデバイス非依存色空間とデバイスカラーとの関係付けを記述する出力プロファイル５２（図４の１２１、４１）を用いて、任意のデバイス非依存色空間値５３の入力値に対し、プリンタシステムで色再現可能なデバイスカラー値５４を出力値として返す。
【実施例１】
【００２６】
本実施例における発明の実施フローを図６において説明する。
【００２７】
本発明は、新規メディアに対応したスポットカラー辞書を新たに作成する作成方法に関するフローである。本印刷システムで使用するスポットカラー辞書について、基準となるメディアを対象として調整されたデバイスカラー値を持つスポットカラー辞書と、基準メディアの出力プロファイルと新規のメディアの出力プロファイルと、を用いることで新規メディアでも、名前付きカラーの目標色値と同じ色再現を得られるデバイスカラー値を、算出する。
【００２８】
得られたデバイスカラー値を新規メディアのスポットカラー辞書へ保存設定することにより、新規メディアでもデバイスカラー値を持つスポットカラー辞書を利用ことで正確な色再現が得られる。以上の調整フローについて説明を行う。
【００２９】
まずステップ６１で、新規メディア４０にあるスポットカラー辞書４２から、調整対象となるカラー名４３を順に取り出す。
【００３０】
本実施形態では説明を簡略化するために、印刷システムが扱うカラー名は２つとして図４は図示説明が行われている。最初に「カラー名１（４３−１）」、次に「カラー名２（４３−２）」を順次取り出すこととなる。しかし実際にはより多くの複数のカラー名がスポットカラー辞書に管理されている場合は、フローの最終段階ステップ６９にて、スポットカラー辞書４２に含まれる全てのカラー名について、以下説明する調整を終えるまで繰り返しを行う。
【００３１】
次に基準メディアにおいて、カラー名４３に対応する同等なカラー名１２３をスポットカラー辞書から検索する（ステップ６２）。
【００３２】
次にカラー名１２３に対応付けられている、基準メディアに合わせて調整された目標色デバイスカラー値１２５のＣ０，Ｙ０，Ｍ０，Ｋ０を得る（ステップ６３）。
【００３３】
次にカラー名１２３に対応付けられたデバイス非依存色空間値である目標色値１２４を基準メディアの出力プロファイル１２１でマッチングをかけて、基準メディアにおける出力プロファイルによるデバイスカラー値Ｃｓ，Ｍｓ，Ｙｓ，Ｋｓを得る（ステップ６４）。
【００３４】
次に、新規メディア４０においてカラー名４３に対応付けられたデバイス非依存色空間値である目標色値４４を基準メディアの出力プロファイル４１でマッチングをかけて、新規メディアにおける出力プロファイルによるデバイスカラー値Ｃｎ，Ｍｎ，Ｙｎ，Ｋｎを得る（ステップ６５）。
【００３５】
次に、デバイス非依存色空間値である目標色値４４（または同じく目標色値１２４）を再現する、基準メディアと新規メディアとの出力プロファイルによるデバイスカラー値の差分としてｄＣ，ｄＭ，ｄＹ，ｄＫを求める（ステップ６６）。夫々、
ｄＣ  ＝  Ｃｎ  −  Ｃｓ
ｄＭ  ＝  Ｍｎ  −  Ｍｓ
ｄＹ  ＝  Ｙｎ  −  Ｙｓ
ｄＫ  ＝  Ｋｎ  −  Ｋｓ
の関係式にて導出される。
【００３６】
次に、基準メディアを対象として調整された目標色デバイスカラー値１２５のＣ０，Ｙ０，Ｍ０，Ｋ０に、ステップ６６で求められたデバイスカラー値の差分ｄＣ，ｄＭ，ｄＹ，ｄＫを合算することにより、新規メディアにおいてデバイス非依存色空間値である目標色値４４を正確に色再現可能な、目標色デバイスカラー値Ｃ１，Ｍ１，Ｙ１，Ｋ１を得る（ステップ６７）。具体的には、デバイスカラー値それぞれに、
Ｃ１  ＝  Ｃ０  ＋  ｄＣ
Ｍ１  ＝  Ｍ０  ＋  ｄＭ
Ｙ１  ＝  Ｙ０  ＋  ｄＹ
Ｋ１  ＝  Ｋ０  ＋  ｄＫ
の関係式によって導出される。
【００３７】
次に、新規メディアにあわせて導出されたＣ１，Ｍ１，Ｙ１，Ｋ１を目標色デバイスカラー値４５として、新規メディア４０のスポットカラー辞書に保存する（ステップ６８）。
【００３８】
ステップ６９ではスポットカラー辞書４２に含まれる全てのカラー名について調整が終了しているかどうかを判断し終了する。
【００３９】
上記ステップ６１〜６９のフローにより、図４に対し新規メディア４０を対象とした目標色デバイスカラー値４５−１、４５−２それぞれを格納した例を図７に示す。
【実施例２】
【００４０】
本発明の実施例は、デバイスカラー値がＣＭＹＫ値で指定されるプリンタシステムによる構成を説明したが、デバイスカラー値がＲＧＢで指定されるプリンタシステムにおいても、同様に本発明が適用可能である。
【実施例３】
【００４１】
本発明の実施例は、デバイスカラー値がＣＭＹＫ値で指定されるプリンタシステムによる構成を説明したが、デバイスカラー値がＣＭＹＫと他の特色で指定されるプリンタシステムにおいても、同様に本発明が適用可能である。
【図面の簡単な説明】
【００４２】
【図１】本発明における実施形態をあらわす図。
【図２】本印刷システムが名前付きカラーをデバイスカラー値での色出力処理を行うことを示すフローチャート。
【図３】名前付きカラーをデバイスカラー値への変換を行うフローチャート。
【図４】本印刷システムについてプリンタ対応メディアとしてある新しいメディアが追加された状態をあらわす図。
【図５】カラーマッチングシステムの概略図。
【図６】本発明の実施フローを示すフローチャート。
【図７】本印刷システムについてプリンタ対応メディアとしてある新しいメディアが追加され、スポットカラー辞書に本発明調整フローにより算出したデバイスカラー値が保存設定された状態をあらわす図。
【図１】
2010011048.tif 000003
【図２】
2010011048.tif 000004
【図３】
2010011048.tif 000005
【図４】
2010011048.tif 000006
【図５】
2010011048.tif 000007
【図６】
2010011048.tif 000008
【図７】
2010011048.tif 000009